(57)【要約】  本発明の搾汁性能が向上した搾汁機は、モータが内蔵されたハウジングと、前記ハウジングの一側に露出し、モータにより回転駆動される駆動軸と、前記駆動軸と結合され、駆動軸と一体に回転してスクリューハウジングに収容される駆動スクリューと、前記ハウジングに着脱可能に結合され、ホッパーが備えられた中空体のスクリューハウジングと、からなり、前記駆動スクリューは、前記ハウジングに向かって開口された設置溝が形成された駆動スクリュー本体と、前記駆動スクリュー本体の設置溝に備えられる１つ以上の圧電素子と、前記圧電素子に電気的に連結され、ハウジングに備えられた接触電極に電気的に接触する接触端子と、からなり、前記ハウジングに接触電極が備えられることを特徴とする、搾汁性能が向上した搾汁機に関する。
2019518584.tif 000002
【特許請求の範囲】
【請求項１】
モータが内蔵されたハウジング（Ｈ）と、前記ハウジング（Ｈ）の一側に露出してモータにより回転駆動される駆動軸（Ｓ）と、前記駆動軸（Ｓ）と結合され、駆動軸（Ｓ）と一体に回転してスクリューハウジングに収容される駆動スクリュー（５００）と、前記ハウジング（Ｈ）に着脱可能に結合され、ホッパーが備えられた中空体のスクリューハウジングと、を含み、
前記駆動スクリュー（５００）は、前記ハウジング（Ｈ）に向かって開口された設置溝（５１３）が形成された駆動スクリュー本体（５１０）と、前記駆動スクリュー本体（５１０）の設置溝（５１３）に備えられる１つ以上の圧電素子（５２０）と、前記圧電素子（５２０）に電気的に連結され、前記ハウジング（Ｈ）に備えられた接触電極（Ｒ）に電気的に接触する接触端子（５４０）と、を含み、前記ハウジング（Ｈ）に接触電極（Ｒ）が備えられることを特徴とする、搾汁性能が向上した搾汁機。
【請求項２】
前記駆動スクリュー（５００）には、前記設置溝（５１３）に挿入され、駆動スクリュー本体（５１０）と一体に回転されるように結合される支持体（５３０）がさらに含まれ、前記支持体（５３０）の長さ方向の内側端部は、設置溝（５１３）の内側端部から長さ方向に離隔しており、前記支持体（５３０）の長さ方向の内側端部と設置溝（５１３）の内側端部との間に設置空間が形成され、前記圧電素子（５２０）が前記設置空間に備えられ、
前記支持体（５３０）のハウジング（Ｈ）に向かう外側端部には、駆動軸（Ｓ）に結合される結合部（５３３）が形成されており、支持体（５３０）の外面と設置溝（５１３）との間には、駆動スクリュー本体（５１０）の長さ方向に延びた案内通路（５５０）が形成され、前記案内通路（５５０）に沿って電線（５４１）が備えられており、電線（５４１）の一端は圧電素子（５２０）に連結され、電線（５４１）の他端は前記接触端子（５４０）に連結されることを特徴とする、請求項１に記載の搾汁性能が向上した搾汁機。
【請求項３】
前記駆動スクリュー（５００）には、前記設置溝（５１３）に挿入され、駆動スクリュー本体（５１０）と一体に回転されるように結合される支持体（５３０）がさらに含まれ、前記支持体（５３０）の内側端部の一部と設置溝（５１３）との間には、側方に設置空間が形成されており、前記圧電素子（５２０）が設置空間に位置して備えられ、
前記支持体（５３０）には、ハウジング（Ｈ）に向かう端部に、駆動軸（Ｓ）に結合される結合部（５３３）が形成されており、支持体（５３０）の外面と設置溝（５１３）との間には駆動スクリュー本体（５１０）の長さ方向に案内通路（５５０）が形成され、
前記案内通路（５５０）に沿って電線（５４１）が備えられており、電線（５４１）の一端は圧電素子（５２０）に連結され、電線（５４１）の他端は前記接触端子（５４０）に連結されることを特徴とする、請求項１に記載の搾汁性能が向上した搾汁機。
【請求項４】
長さ方向の外側端部において、前記支持体（５３０）と駆動スクリュー本体（５１０）との間には、軸方向外側に開口されて断面がリング状の空間である接触電極挿入部が形成されており、前記接触電極（Ｒ）は、断面が円弧状であって互いに向い合い、一部がハウジング（Ｈ）から突出して延びて備えられ、突出した接触電極（Ｒ）の部分が前記接触電極挿入部に回転可能に挿入されて備えられることを特徴とする、請求項２または３に記載の搾汁性能が向上した搾汁機。
【請求項５】
前記接触端子（５４０）は、接触電極（Ｒ）の内側に位置するように支持体（５３０）の外側端部に結合されて備えられることを特徴とする、請求項４に記載の搾汁性能が向上した搾汁機。
【請求項６】
前記設置空間は、支持体（５３０）と設置溝（５１３）との間に、断面がリング状であって長さ方向に延びた形態に形成されており、前記圧電素子（５２０）は断面が円弧状に形成され、円弧状の外面が設置溝（５１３）の内面と向い合って接するように、リング状の設置空間に設けられることを特徴とする、請求項３に記載の搾汁性能が向上した搾汁機。
【請求項７】
前記設置空間は、支持体（５３０）と設置溝（５１３）との間に、断面が円形であって長さ方向に延びた形態に形成されており、前記圧電素子（５２０）は、断面が円弧状であって長さ方向に延びた形態に形成され、円弧状の外面が設置溝（５１３）の内面と向い合って接するように、設置空間にそれぞれ備えられて設けられることを特徴とする、請求項２に記載の搾汁性能が向上した搾汁機。
【請求項８】
前記ハウジング（Ｈ）には、駆動軸（Ｓ）と並んでハウジング（Ｈ）の一側に露出する静止軸がさらに備えられており、前記静止軸に回転可能に結合される従動スクリューをさらに含み、前記スクリューハウジングには、駆動スクリュー（５００）とともに従動スクリューが収容され、
駆動軸に結合された駆動スクリュー（５００）の前記駆動スクリュー本体（５１０）は、外面にヘリカルギヤが形成された破砕部（５１１）と、破砕部（５１１）に連結され、外面に螺旋突起が形成された圧搾部（５１２）と、を含み、
静止軸に結合された従動スクリューは、前記ハウジング（Ｈ）に向かって開口された設置溝が形成された従動スクリュー本体と、前記従動スクリュー本体の設置溝に備えられる１つ以上の圧電素子と、前記圧電素子に電気的に連結され、ハウジングに備えられた接触電極に電気的に接触する接触端子と、を含み、前記ハウジングには、静止軸に結合された従動スクリューの接触端子と通電される接触電極がさらに備えられることを特徴とする、請求項１に記載の搾汁性能が向上した搾汁機。
【発明の詳細な説明】
【技術分野】
【０００１】
本発明は、搾汁性能が向上した搾汁機に関し、より詳細には、圧電素子を備え、圧電素子の圧電効果によってスクリューハウジングと駆動スクリューとの間で搾汁物が十分に加圧されるように備えられた、搾汁性能が向上した搾汁機に関する。
【背景技術】
【０００２】
図１に示したように、従来の搾汁機１０は、中空体からなってモータが備えられた本体（不図示）と、ハウジング２０と、搾汁ローラ部３０と、搾汁筒４０と、排出路２９と、ハウジングキャップ５０と、からなる。
【０００３】
前記ハウジング２０は、前記本体の一側に取り付けられ、その内部に搾汁物が流入される切り込み部６１と、搾汁物を粉砕／搾汁する粉砕部６２と、に区画される。
【０００４】
前記搾汁ローラ部３０は前記ハウジング２０の内部に取り付けられ、前記モータから伝達された回転力によって回転することで、搾汁物を粉砕し移動させる。
【０００５】
前記搾汁筒４０はハウジング２０の粉砕部６２に取り付けられ、搾汁ローラ部３０の先端部を囲み、搾汁ローラ部３０との相互作用によって搾汁物を粉砕／搾汁する。
【０００６】
前記排出路２９はハウジング２０の下部に形成され、切り込み部６１から粉砕部６２に延びて形成される。前記排出路２９は、切り込み部６１に溜まった汁液が粉砕部６２を経て外部に流出される通路となる。
【０００７】
前記ハウジングキャップ５０は前記ハウジング２０の先端部に着脱可能に取り付けられ、残渣が外部に排出されるようにする。
【０００８】
図２および図３に示したように、従来のツインギヤ方式の搾汁機は、搾汁部を駆動する駆動部１００と、前記駆動部１００に締結部３００により着脱可能に結合され、搾汁物を粉砕加圧移送しながら汁液を抽出する搾汁部２００と、からなる。
【０００９】
前記駆動部１００にはモータが備えられており、モータに連結され、一端部がモータハウジングの一側に突出して備えられた回転軸１７０、および前記回転軸１７０と並んで備えられた固定軸１９０が含まれてなる。
【００１０】
前記搾汁部２００は、前記駆動部１００に回転可能に結合される粉砕ローラ部２５０と、前記粉砕ローラ部２５０から前方に行くに従って直径が減少するように延びて形成された搾汁ローラ部２６０と、前記粉砕ローラ部２５０および搾汁ローラ部２６０を収容し、前記駆動部１００に結合されるハウジング２００ａと、からなる。
【００１１】
前記粉砕ローラ部２５０は、外周面に第１粉砕刃２５１１が形成された第１粉砕ローラ２５１と、外周面に第２粉砕刃２５５１が形成され、前記第１粉砕刃２５１１と第２粉砕刃２５５１が交差するように備えられる第２粉砕ローラ２５５と、からなる。
【００１２】
前記搾汁ローラ部２６０は、外周面に第１搾汁刃２６１１が形成され、長さ方向の前方に行くに従って直径が減少するようにテーパ状となり、前記第１粉砕ローラ２５１の前方端部に後方端部が結合される第１搾汁ローラ２６１と、外周面に第２搾汁刃２６５１が形成され、長さ方向の前方に行くに従って直径が減少するようにテーパ状となり、前記第２粉砕ローラ２５５の前方端部に後方端部が結合される第２搾汁ローラ２６５と、からなる。
【００１３】
前記第１粉砕刃２５１１および第２粉砕刃２５５１はヘリカルギヤ（ｈｅｌｉｃａｌ  ｇｅａｒ）形態を有し、第１搾汁刃２６１１および第２搾汁刃２６５１は螺旋形態を有する。
【００１４】
前記第１粉砕ローラ２５１は、前記回転軸１７０に結合されて回転軸１７０と一体に回転され、第２粉砕ローラ２５５は、前記固定軸１９０に回転可能に結合される。前記第２粉砕ローラ２５５は固定軸１９０に空転可能に結合される。
【００１５】
前記第１搾汁ローラ２６１および第２搾汁ローラ２６５は第１粉砕ローラ２５１および第２粉砕ローラ２５５にそれぞれ結合されるため、第１粉砕ローラ２５１および第２粉砕ローラ２５５が回転すると、第１搾汁ローラ２６１および第２搾汁ローラ２６５も回転することになる。
【００１６】
従来の搾汁機は、ハウジングと搾汁ローラ部との間で搾汁物が十分に加圧されないため、搾汁効率に劣るという問題があった。
【発明の概要】
【発明が解決しようとする課題】
【００１７】
本発明は、上記のような問題を解決するために提案されたものであって、圧電素子の圧電効果を用いて、スクリューハウジングと駆動スクリューとの間で搾汁物が十分に加圧されるようにすることで、搾汁性能が向上した搾汁機を提供することを目的とする。
【課題を解決するための手段】
【００１８】
本発明の搾汁性能が向上した搾汁機は、モータが内蔵されたハウジングと、前記ハウジングの一側に露出し、モータにより回転駆動される駆動軸と、前記駆動軸と結合され、駆動軸と一体に回転してスクリューハウジングに収容される駆動スクリューと、前記ハウジングに着脱可能に結合され、ホッパーが備えられた中空体のスクリューハウジングと、からなり、前記駆動スクリューは、前記ハウジングに向かって開口された設置溝が形成された駆動スクリュー本体と、前記駆動スクリュー本体の設置溝に備えられる１つ以上の圧電素子と、前記圧電素子に電気的に連結され、ハウジングに備えられた接触電極に電気的に接触する接触端子と、からなり、前記ハウジングに接触電極が備えられることを特徴とする、搾汁性能が向上した搾汁機を提供する。
【００１９】
上記において、駆動スクリューには、前記設置溝に挿入され、駆動スクリュー本体と一体に回転されるように結合される支持体がさらに含まれ、前記支持体の長さ方向の内側端部は、設置溝の内側端部から長さ方向に離隔しており、前記支持体の長さ方向の内側端部と設置溝の内側端部との間に設置空間が形成され、前記圧電素子が前記設置空間に備えられ、
【００２０】
前記支持体のハウジングに向かう外側端部には、駆動軸に結合される結合部が形成されており、支持体の外面と設置溝との間には、駆動スクリュー本体の長さ方向に延びた案内通路が形成され、前記案内通路に沿って電線が備えられており、電線の一端は圧電素子に連結され、電線の他端は前記接触端子に連結されることを特徴とする。
【００２１】
上記において、駆動スクリューには、前記設置溝に挿入され、駆動スクリュー本体と一体に回転されるように結合される支持体がさらに含まれ、前記支持体の内側端部の一部と設置溝との間には、側方に設置空間が形成されており、前記圧電素子が設置空間に位置して備えられ、
【００２２】
前記支持体には、ハウジングに向かう端部に、駆動軸に結合される結合部が形成されており、支持体の外面と設置溝との間には駆動スクリュー本体の長さ方向に案内通路が形成され、
【００２３】
前記案内通路に沿って電線が備えられており、電線の一端は圧電素子に連結され、電線の他端は前記接触端子に連結されることを特徴とする。
【００２４】
上記において、長さ方向の外側端部において、前記支持体と駆動スクリュー本体との間には、軸方向外側に開口されて断面がリング状の空間である接触電極挿入部が形成されており、前記接触電極は、断面が円弧状であって互いに向い合い、一部がハウジングから突出して延びて備えられ、突出した接触電極の部分が前記接触電極挿入部に回転可能に挿入されて備えられることを特徴とする。
【００２５】
上記において、接触端子は、接触電極の内側に位置するように支持体の外側端部に結合されて備えられることを特徴とする。
【００２６】
上記において、設置溝は、長さ方向の外側端部に、長さ方向に外向きに設置溝段部が形成され、その拡張された内面に円筒状の拡張部を有し、
【００２７】
前記支持体の長さ方向の外側端部の一部は、前記拡張部と向い合って拡張部よりも小さい直径を有する、断面が円形の形態に形成され、
【００２８】
前記接触電極挿入部は、長さ方向の外側端部の一部と拡張部との間に形成されており、接触電極挿入部に挿入された接触電極の内側端部が設置溝段部と向い合って備えられることを特徴とする。
【００２９】
上記において、設置溝段部の長さ方向の外側として、前記支持体の長さ方向の外側端部から長さ方向の内側に離隔した前記支持体の外面には、凹状の接触端子設置部が形成されており、前記接触端子は、前記接触端子設置部に備えられて接触電極の内面と向い合うことを特徴とする。
【００３０】
上記において、設置空間は、支持体と設置溝との間に、断面がリング状であって長さ方向に延びた形態に形成されており、前記圧電素子は断面が円弧状に形成され、円弧状の外面が設置溝の内面と向い合って接するように、リング状の設置空間に設けられることを特徴とする。
【００３１】
上記において、設置空間は、支持体と設置溝との間に、断面が円弧状であって長さ方向に延びた形態に２個が互いに向い合って形成されており、前記圧電素子は断面が円弧状に形成され、円弧状の外面が設置溝の内面と向い合って接するように、設置空間にそれぞれ備えられて互いに向い合って設けられることを特徴とする。
【００３２】
上記において、設置空間は、支持体と設置溝との間に、断面が円形であって長さ方向に延びた形態に形成されており、前記圧電素子は、断面が円弧状であって長さ方向に延びた形態に形成され、円弧状の外面が設置溝の内面と向い合って接するように、設置空間にそれぞれ備えられて設けられることを特徴とする。
【００３３】
上記において、圧電素子は、複数で幅方向の両側端部が互いに向い合って離隔して備えられ、前記圧電素子の内側に補助支持体が備えられており、前記補助支持体は、断面が円形であり、外面が圧電素子の内面と接するように圧電素子の間に位置する補助支持体本体部と、前記補助支持体本体部から半径方向外側に向かって延び、互いに離隔した圧電素子の間に位置する補助支持体延長部と、からなることを特徴とする。
【００３４】
上記において、ハウジングには、駆動軸と並んでハウジングの一側に露出する静止軸がさらに備えられており、前記静止軸に回転可能に結合される従動スクリューをさらに含み、前記スクリューハウジングには、駆動スクリューとともに従動スクリューが収容され、
【００３５】
駆動軸に結合された駆動スクリューの前記駆動スクリュー本体は、外面にヘリカルギヤが形成された破砕部と、破砕部に連結され、外面に螺旋突起が形成された圧搾部と、からなり、
【００３６】
静止軸に結合された従動スクリューは、前記ハウジングに向かって開口された設置溝が形成された従動スクリュー本体と、前記従動スクリュー本体の設置溝に備えられる１つ以上の圧電素子と、前記圧電素子に電気的に連結され、ハウジングに備えられた接触電極に電気的に接触する接触端子と、からなり、前記ハウジングには、静止軸に結合された従動スクリューの接触端子と通電される接触電極がさらに備えられることを特徴とする。
【発明の効果】
【００３７】
本発明による搾汁性能が向上した搾汁機は、圧電素子の圧電効果により、スクリューハウジングと駆動スクリューとの間で搾汁物が十分に加圧され、搾汁性能が向上する効果がある。
【図面の簡単な説明】
【００３８】
【図１】従来の搾汁機を示した断面図である。
【図２】従来のツインギヤ方式の搾汁機を示した分解斜視図である。
【図３】図２の粉砕ローラ部および搾汁ローラ部を示した斜視図である。
【図４】本発明による搾汁機の駆動スクリューを概略的に示した断面図である。
【図５】図４のＡ−Ａ部の断面を示した断面図である。
【図６】図４のＢ部を拡大して示した断面図である。
【図７】図４のＣ−Ｃ部の断面を示した断面図である。
【図８】本発明による搾汁機の接触電極を示した斜視図である。
【図９】本発明による搾汁機の変形例を示した断面図である。
【発明を実施するための形態】
【００３９】
以下、添付図面を参照して搾汁性能が向上した搾汁機について詳細に説明する。
【００４０】
図３は図２の粉砕ローラ部および搾汁ローラ部を示した斜視図であり、図４は本発明による搾汁機の駆動スクリューを概略的に示した断面図であり、図５は図４のＡ−Ａ部の断面を示した断面図であり、図６は図４のＢ部を拡大して示した断面図であり、図７は図４のＣ−Ｃ部の断面を示した断面図であり、図８は本発明による搾汁機の接触電極を示した斜視図であり、図９は本発明による搾汁機の変形例を示した断面図である。
【００４１】
図４において、横方向を「長さ方向」とし、縦方向を「側方」とし、設置溝５１３の開口された側である、ハウジングＨに向かう側を「外側」とし、その反対側を「内側」として記載する。
【００４２】
図４に示されたように、本発明による搾汁性能が向上した搾汁機は、ハウジングＨと、駆動軸Ｓと、接触電極Ｒと、駆動スクリュー５００と、スクリューハウジング（不図示）と、からなる。
【００４３】
前記ハウジングＨにはモータが内蔵されて備えられる。
【００４４】
前記駆動軸Ｓは、前記ハウジングＨの一側に突出して露出し、モータにより回転駆動される。
【００４５】
前記接触電極Ｒは、一部が前記ハウジングＨから長さ方向に突出して延びて備えられる。前記接触電極Ｒは、前記駆動軸Ｓが備えられた位置に、駆動軸Ｓを囲むように駆動軸Ｓの外側に位置して備えられる。図８に示されたように、前記接触電極Ｒは、断面が円弧状である棒状に備えられる。前記接触電極Ｒは、２個が互いに向い合うように備えられる。互いに向い合う前記接触電極Ｒの幅方向の両端部は、互いに離隔して備えられる。２個の前記接触電極Ｒの円弧の延長線は円形を成すように備えられる。前記接触電極Ｒは、電線ＥＬから外部電力と電気的に連結される。
【００４６】
前記駆動スクリュー５００は、前記駆動軸Ｓと結合され、駆動軸Ｓと一体に回転可能に備えられる。前記駆動スクリュー５００はスクリューハウジングに収容される。
【００４７】
前記スクリューハウジングは中空体であって、前記ハウジングＨに着脱可能に結合される。前記スクリューハウジングの上部にはホッパーが備えられ、ホッパーを介してスクリューハウジング内に搾汁物が投入される。
【００４８】
図４に示されたように、前記駆動スクリュー５００は、駆動スクリュー本体５１０と、支持体５３０と、圧電素子５２０と、接触端子５４０と、からなる。
【００４９】
前記駆動スクリュー本体５１０は、長さ方向に延び、断面が円形である中空体で備えられる。前記駆動スクリュー本体５１０は、破砕部５１１と、圧搾部５１２と、支持部５１５と、からなり、前記ハウジングＨに向かって開口された設置溝５１３が形成される。
【００５０】
前記破砕部５１１はハウジングＨに回転可能に結合される。前記破砕部５１１は円筒状に備えられる。前記破砕部５１１の外面はヘリカルギヤ（ｈｅｌｉｃａｌ  ｇｅａｒ）形態に形成される。
【００５１】
前記圧搾部５１２は、前記破砕部５１１の長さ方向の内側に備えられる。前記圧搾部５１２は、前記破砕部５１１から長さ方向の内側に行くに従って直径が減少するように延びて形成される。前記圧搾部５１２は、長さ方向の内側に行くに従って直径が減少するように、テーパ状に形成される。前記圧搾部５１２の外面は、螺旋突起が形成された形態に形成される。
【００５２】
図９に示されたように、駆動スクリュー本体５１０が前記破砕部５１１と圧搾部５１２に分離されない場合には、駆動スクリュー本体５１０の外面がヘリカルギヤ形態または螺旋突起が形成された形態に形成されることができる。
【００５３】
前記支持部５１５は前記圧搾部５１２の長さ方向の内側に備えられる。前記支持部５１５は、前記圧搾部５１２の長さ方向の内側端部から突出して備えられる。前記支持部５１５は前記スクリューハウジングに収容され、駆動スクリュー５００の離脱を防止する役割を果たす。
【００５４】
前記設置溝５１３は、駆動スクリュー本体５１０に前記ハウジングＨに向かって開口されて形成される。前記設置溝５１３は長さ方向に延びて形成される。前記設置溝５１３は、長さ方向の内側に行くに従って直径が減少するようにテーパ状に形成されてもよい。前記設置溝５１３は長さ方向に延び、前記破砕部５１１と圧搾部５１２が連通するように形成される。
【００５５】
前記設置溝５１３の長さ方向の外側端部には設置溝段部５１９が形成される。前記設置溝段部５１９は長さ方向に外向きに形成される。前記設置溝５１３の長さ方向の外側端部には、前記設置溝段部５１９が形成されて拡張されることで、内面が円筒状である拡張部５１７が形成される。
【００５６】
前記支持体５３０は合成樹脂（例えば、プラスチック）材質からなる。前記支持体５３０は、前記駆動スクリュー本体５１０の設置溝５１３に挿入され、前記駆動スクリュー本体５１０と一体に回転されるように結合されて備えられる。前記支持体５３０は、断面が円形である棒状に備えられる。前記支持体５３０は長さ方向に延びて備えられる。前記支持体５３０は、長さ方向の内側に行くに従って直径が減少するようにテーパ状に形成されてもよい。
【００５７】
前記支持体５３０は、前記設置溝５１３に締まり嵌めにより結合される。前記支持体５３０は、少なくとも外面の一部が設置溝５１３に接着剤により接着されて結合されてもよい。また、前記支持体５３０の外面の一部に雄ねじが形成され、設置溝５１３の内面の一部に雌ねじが形成されてねじ締結されることで、設置溝５１３に結合されて備えられてもよい。
【００５８】
前記支持体５３０は長さ方向の内側端部が、前記設置溝５１３の内側端部から長さ方向に離隔して備えられる。前記支持体５３０の長さ方向の内側端部と設置溝５１３の内側端部との間には設置空間（不図示）が形成される。
【００５９】
前記支持体５３０の長さ方向の外側端部の一部は、前記拡張部５１７と向い合うように備えられる。前記支持体５３０の長さ方向の外側端部は、拡張部５１７よりも小さい直径を有するように形成される。
【００６０】
支持体５３０の長さ方向の外側端部の一部と、前記拡張部５１７と、前記設置溝段部５１９との間には、接触電極挿入部が形成される。前記接触電極挿入部は、軸方向の外側に開口され、断面がリング状の空間として形成される。前記接触電極挿入部には、前記接触電極Ｒの突出部分が回転可能に挿入されて備えられる。前記接触電極挿入部に挿入された接触電極Ｒの内側端部は前記設置溝段部５１９と向い合って備えられる。
【００６１】
前記支持体５３０には、案内溝５３１と、結合部５３３と、接触端子設置部５３５と、が形成される。
【００６２】
図５に示されたように、前記案内溝５３１は、前記支持体５３０の側方に凹状に形成される。前記案内溝５３１は、前記支持体５３０の長さ方向に沿って延びて形成される。前記案内溝５３１は複数で形成される。前記案内溝５３１は、前記支持体５３０の円周方向に沿って離隔して形成される。
【００６３】
前記案内溝５３１と設置溝５１３との間には、駆動スクリュー本体５１０の長さ方向に案内通路５５０が形成される。前記案内通路５５０は、長さ方向の内側に前記設置空間と連通される。
【００６４】
図６に示されたように、前記結合部５３３は前記支持体５３０の長さ方向の外側端部に凹状に形成される。前記結合部５３３には前記駆動軸Ｓが挿入されて結合されて備えられる。前記結合部５３３は長さ方向に凸状に形成され、前記駆動軸Ｓが備えられた位置のハウジングＨが凹状に形成されて、前記結合部５３３がハウジングＨに挿入されて結合されてもよい。
【００６５】
前記接触端子設置部５３５は、前記支持体５３０の長さ方向の外側端部から長さ方向の内側に離隔して形成される。前記接触端子設置部５３５は、前記設置溝５１３の長さ方向の外側に形成された設置溝段部５１９から長さ方向の外側に離隔して形成される。前記接触端子設置部５３５は、前記支持体５３０の長さ方向の外側端部と前記設置溝段部５１９との間に形成される。
【００６６】
前記接触端子設置部５３５は前記支持体５３０の外面に凹状に形成される。前記接触端子設置部５３５は前記案内溝５３１と連通するように形成される。前記接触端子設置部５３５には接触端子５４０が位置される。
【００６７】
図７に示されたように、前記圧電素子５２０は、前記支持体５３０の長さ方向の内側端部と設置溝５１３の内側端部との間である設置空間に備えられる。前記設置空間は、断面が円形であって、長さ方向に延びた形態に形成される。
【００６８】
前記圧電素子５２０は、断面が円弧状であって、長さ方向に延びた形態に形成される。前記圧電素子５２０は１つ以上で備えられる。前記圧電素子５２０が２個以上で備えられた場合、前記隣合う圧電素子５２０の幅方向の両端部は、互いに向い合って離隔して備えられる。前記圧電素子５２０の円弧の延長線は円形を成すように備えられる。
【００６９】
前記圧電素子５２０の長さ方向の外側端部は前記支持体５３０の長さ方向の内側端部と向い合い、圧電素子５２０の長さ方向の内側端部は前記設置溝５１３の内側端部と向い合うように備えられる。前記圧電素子５２０の外面は前記設置溝５１３の内面と向い合って接するように備えられる。
【００７０】
前記設置空間には補助支持体５６０がさらに備えられる。
【００７１】
前記補助支持体５６０は圧電素子５２０の内側に備えられる。前記補助支持体５６０の長さ方向の外側端部は前記支持体５３０の長さ方向の内側端部と向い合い、補助支持体５６０の長さ方向の内側端部は前記設置溝５１３の内側端部と向い合うように備えられる。前記補助支持体５６０の材質はプラスチックなどの合成樹脂からなる。前記補助支持体５６０は、前記支持体５３０の長さ方向の内側端部に連結されて一体に備えられてもよい。
【００７２】
前記補助支持体５６０は、補助支持体本体部５６１と、補助支持体延長部５６３と、からなる。
【００７３】
前記補助支持体本体部５６１は、断面が円形である円筒状に形成される。前記補助支持体本体部５６１は、外面が前記圧電素子５２０の内面と向い合って接するように前記圧電素子５２０の間に備えられる。
【００７４】
前記補助支持体５６０が補助支持体本体部５６１のみからなる場合、前記設置空間は、断面がリング状であって、長さ方向に延びた形態に形成される。
【００７５】
前記補助支持体延長部５６３は、前記補助支持体本体部５６１から半径方向外側に向かって延びて形成される。前記補助支持体延長部５６３は、互いに離隔した圧電素子５２０の間に備えられる。
【００７６】
前記補助支持体５６０が備えられることで、前記支持体５３０の内側端部の一部と設置溝５１３との間には、側方に設置空間が形成される。前記設置空間は、断面が円弧状であって、長さ方向に延びた形態に２個が互いに向い合って形成される。断面が円弧状である前記設置空間には前記圧電素子５２０がそれぞれ備えられる。
【００７７】
前記圧電素子５２０は、圧電素子５２０に電線５４１が連結され、前記電線５４１の他側に備えられた接触端子５４０が接触電極Ｒと電気的に接触されることで電気的に連結される。
【００７８】
前記電線５４１は長さ方向に延び、前記案内溝５３１と設置溝５１３との間に形成された案内通路５５０に沿って備えられる。前記電線５４１の一端は前記圧電素子５２０に連結され、電線５４１の他端は前記接触端子５４０に連結される。
【００７９】
前記接触端子５４０は前記支持体５３０の接触端子設置部５３５に備えられる。前記接触端子５４０は前記接触端子設置部５３５に備えられ、接触電極Ｒの内面と向い合うように備えられる。前記接触端子５４０はブラッシュからなる。逆に、前記接触電極Ｒがブラッシュからなってもよい。
【００８０】
本発明による搾汁性能が向上した搾汁機がツインギヤ方式である場合には、静止軸と従動スクリュー（不図示）がさらに備えられ、前記スクリューハウジングには駆動スクリュー５００とともに従動スクリューが収容される。
【００８１】
前記静止軸はハウジングＨに駆動軸Ｓと並んで備えられる。前記静止軸は、前記ハウジングＨの一側に露出して備えられる。前記静止軸の周りには接触電極が備えられる。
【００８２】
前記従動スクリューは前記駆動スクリュー５００と同様になる。前記従動スクリューは前記静止軸に空転可能に結合される。
【００８３】
前記従動スクリューは、従動スクリュー本体と、支持体と、圧電素子と、接触端子と、からなる。
【００８４】
前記従動スクリュー本体には、前記ハウジングＨに向かって開口された設置溝が形成される。前記従動スクリュー本体の設置溝には支持体が備えられており、支持体の長さ方向の内側端部と設置溝の長さ方向の内側端部との間には圧電素子が備えられる。前記圧電素子は、圧電素子に電線が連結され、前記電線の他側に備えられた接触端子が接触電極と電気的に接触されることで電気的に連結される。
【００８５】
前記従動スクリューの接触端子に電気的に接触される接触電極は、前記静止軸を囲むように静止軸の外側に位置して備えられる。
【００８６】
本発明による搾汁機に備えられた圧電素子５２０は、交流電流を通電させると圧縮と膨張が繰り返されて機械的な振動が起こり、超音波が発生する。
【００８７】
したがって、駆動スクリュー本体５１０内に備えられた圧電素子５２０から超音波が発生して駆動スクリュー５００の振動が発生し、これにより、スクリューハウジングと駆動スクリュー５００との間で搾汁物が十分に加圧されて搾汁機の搾汁性能が向上する効果が発生する。
【００８８】
以上、本発明による搾汁性能が向上した搾汁機を、図面に示された実施例を参照して説明したが、これは例示的なものにすぎず、当業者であれば、誰でもこれから種々の変形および均等な他の実施例が可能であるという点を理解するのであろう。したがって、真の技術的保護範囲は、添付の特許請求の範囲の技術的思想によって決定されるべきである。
【産業上の利用可能性】
【００８９】
上述の本発明による搾汁性能が向上した搾汁機は、圧電素子の圧電効果により、スクリューハウジングと駆動スクリューとの間で搾汁物が十分に加圧され、搾汁性能が向上することで、生産効率が増加する効果がある。
【図１】
2019518584.tif 000003
【図２】
2019518584.tif 000004
【図３】
2019518584.tif 000005
【図４】
2019518584.tif 000006
【図５】
2019518584.tif 000007
【図６】
2019518584.tif 000008
【図７】
2019518584.tif 000009
【図８】
2019518584.tif 000010
【図９】
2019518584.tif 000011
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
モータが内蔵されたハウジング（Ｈ）と、前記ハウジング（Ｈ）に着脱可能に結合されたスクリューハウジングと、前記ハウジング（Ｈ）の一側に露出して前記モータにより回転駆動される駆動軸（Ｓ）と結合されて回転するように前記スクリューハウジングに収容される駆動スクリュー（５００）と、を含み、
前記駆動スクリュー（５００）は、前記ハウジング（Ｈ）に向かって開口された設置溝（５１３）が形成された駆動スクリュー本体（５１０）と、前記駆動スクリュー本体（５１０）の設置溝（５１３）に備えられる１つ以上の圧電素子（５２０）と、前記圧電素子（５２０）に電気的に連結され、前記ハウジング（Ｈ）に備えられた接触電極（Ｒ）に電気的に接触する接触端子（５４０）と、を含む、搾汁性能が向上した搾汁機。
【請求項２】
前記駆動スクリュー（５００）は、前記設置溝（５１３）に挿入され、前記駆動スクリュー本体（５１０）と一体に回転されるように結合される支持体（５３０）をさらに含む、請求項１に記載の搾汁性能が向上した搾汁機。
【請求項３】
前記支持体（５３０）の長さ方向の内側端部と前記設置溝（５１３）の内側端部との間に設置空間が形成され、
前記圧電素子（５２０）が前記設置空間に備えられる、請求項２に記載の搾汁性能が向上した搾汁機。
【請求項４】
前記支持体（５３０）の長さ方向の内側端部は、前記設置溝（５１３）の内側端部から長さ方向に離隔する、請求項３に記載の搾汁性能が向上した搾汁機。
【請求項５】
前記支持体（５３０）のうち前記ハウジング（Ｈ）に向かう外側端部には、前記駆動軸（Ｓ）に結合される結合部（５３３）が形成されており、
前記支持体（５３０）の外面と前記設置溝（５１３）との間には、前記駆動スクリュー本体（５１０）の長さ方向に延びた案内通路（５５０）が形成され、前記案内通路（５５０）に沿って電線（５４１）が備えられており、
前記電線（５４１）の一端は前記圧電素子（５２０）に連結され、前記電線（５４１）の他端は前記接触端子（５４０）に連結される、請求項２に記載の搾汁性能が向上した搾汁機。
【請求項６】
前記支持体（５３０）と前記駆動スクリュー本体（５１０）との間には、軸方向外側に開口されて断面がリング状の空間である接触電極挿入部が形成されており、
前記接触電極（Ｒ）は、断面が円弧状であって互いに向い合い、一部が前記ハウジング（Ｈ）から突出して延びて備えられ、突出した前記接触電極（Ｒ）の部分が前記接触電極挿入部に回転可能に挿入される、請求項２に記載の搾汁性能が向上した搾汁機。
【請求項７】
前記接触端子（５４０）は、前記接触電極（Ｒ）の内側に位置するように前記支持体（５３０）の外側端部に結合されて備えられる、請求項６に記載の搾汁性能が向上した搾汁機。
【請求項８】
前記設置空間は、前記支持体（５３０）と前記設置溝（５１３）との間に、断面がリング状であって長さ方向に延びた形態に形成されており、
前記圧電素子（５２０）は、断面が円弧状に形成され、円弧状の外面が前記設置溝（５１３）の内面と向い合って接するように前記リング状の設置空間に設けられる、請求項１に記載の搾汁性能が向上した搾汁機。
【請求項９】
前記設置空間は、前記支持体（５３０）と前記設置溝（５１３）との間に、断面が円形であって長さ方向に延びた形態に形成されており、
前記圧電素子（５２０）は、断面が円弧状であって長さ方向に延びた形態に形成され、円弧状の外面が前記設置溝（５１３）の内面と向い合って接するように、前記設置空間にそれぞれ備えられて設けられる、請求項１に記載の搾汁性能が向上した搾汁機。
【請求項１０】
前記ハウジング（Ｈ）に備えられ、前記駆動軸（Ｓ）と並んで前記ハウジング（Ｈ）の一側に露出する静止軸と、
前記静止軸に回転可能に結合される従動スクリューと、をさらに含む、請求項１に記載の搾汁性能が向上した搾汁機。
【請求項１１】
前記スクリューハウジングには、前記駆動スクリュー（５００）と前記従動スクリューがともに収容される、請求項１０に記載の搾汁性能が向上した搾汁機。
【請求項１２】
前記駆動スクリュー（５００）は、
前記駆動スクリュー本体（５１０）の外面にヘリカルギヤが形成された破砕部（５１１）と、
前記破砕部（５１１）に連結され、外面に螺旋突起が形成された圧搾部（５１２）と、をさらに含む、請求項１０に記載の搾汁性能が向上した搾汁機。
【請求項１３】
前記従動スクリューは、
前記ハウジング（Ｈ）に向かって開口された設置溝が形成された従動スクリュー本体と、
前記従動スクリュー本体の設置溝に備えられる１つ以上の圧電素子と、
前記圧電素子に電気的に連結される接触端子と、を含む、請求項１０に記載の搾汁性能が向上した搾汁機。
【請求項１４】
前記接触端子は、前記ハウジングに備えられた接触電極と電気的に接触されるように備えられる、請求項１３に記載の搾汁性能が向上した搾汁機。
【国際調査報告】
2019518584.tif 000012
2019518584.tif 000013
2019518584.tif 000014
2019518584.tif 000015